Podtech/llm-jp-corpus-v4-ja_patent huggingface dataset:
(57)【要約】【課題】複数のボタンを相互に近接させて設けようとしても、各ボタンの間隔が拡がり、デザイン上好ましくないという不具合が生じる。なお、複数のボタンを近接した状態で並べたものを一体に成型しようとしても、各ボタンの間隔が狭いと成型することができない。【解決手段】複数のボタンを並べて設ける際に、並び方向の一方の端から奇数番目のボタンと偶数番目のボタンとの２つのグループに分け、各グループを１体に成形して２つのボタン部材を形成すると共に、両ボタン部材を各ボタンが並ぶように組んだ状態で、一方のボタン部材のボタンの押し方向の移動量を所定の移動量に規制するストッパ部を他方のボタン部材に設けた【選択図】  図３
2008234967.tif 000002
【特許請求の範囲】
【請求項１】
前面に押し操作されるスイッチを備えたケーシングと、このケーシングに着脱されるカバーとを備え、このカバーに保持され、カバーをケーシングに取り付けた状態でスイッチに対向するように位置し、前方から押し操作されるとスイッチを押すボタンを有する電子機器において、複数のボタンを並べて設ける際に、並び方向の一方の端から奇数番目のボタンと偶数番目のボタンとの２つのグループに分け、各グループを１体に成形して２つのボタン部材を形成すると共に、両ボタン部材を各ボタンが並ぶように組んだ状態で、一方のボタン部材のボタンの押し方向の移動量を所定の移動量に規制するストッパ部を他方のボタン部材に設けたことを特徴とする電子機器。
【発明の詳細な説明】
【技術分野】
【０００１】
本発明は、浴室テレビなどの電子機器に関する。
【背景技術】
【０００２】
従来のこの種の電子機器は、特に防水性が要求される浴室用の電子機器の場合、防水性を備えたケーシングの表面に、防水フィルムで覆われたスイッチを設け、その防水フィルム越しにスイッチを押し操作するように構成されている。
【０００３】
また、ケーシングの表面を覆う化粧用のカバーを設け、このカバーに押し操作可能なボタンを取り付け、ボタンを押すことによりボタンの背部で防水フィルムと共にスイッチを押すようにしたものが知られている（例えば、特許文献１参照）。
【特許文献１】特開２００１−１４３５６３号公報（図４）
【発明の開示】
【発明が解決しようとする課題】
【０００４】
上記従来のものではケーシングに複数のボタンが取り付けられているが、各々のボタンはある程度の間隔を開けているので、各ボタンは単体として形成されている。そのため、複数のボタンを相互に近接させて設けようとしても、各ボタンの間隔が拡がり、デザイン上好ましくないという不具合が生じる。なお、複数のボタンを近接した状態で並べたものを一体に成型しようとしても、各ボタンの間隔が狭いと成型することができない。
【０００５】
そこで本発明は、上記の問題点に鑑み、複数のボタンを近接した状態で並べて設けることのできる電子機器を提供することを課題とする。
【課題を解決するための手段】
【０００６】
上記課題を解決するために本発明による電子機器は、前面に押し操作されるスイッチを備えたケーシングと、このケーシングに着脱されるカバーとを備え、このカバーに保持され、カバーをケーシングに取り付けた状態でスイッチに対向するように位置し、前方から押し操作されるとスイッチを押すボタンを有する電子機器において、複数のボタンを並べて設ける際に、並び方向の一方の端から奇数番目のボタンと偶数番目のボタンとの２つのグループに分け、各グループを１体に成形して２つのボタン部材を形成すると共に、両ボタン部材を各ボタンが並ぶように組んだ状態で、一方のボタン部材のボタンの押し方向の移動量を所定の移動量に規制するストッパ部を他方のボタン部材に設けたことを特徴とする。
【０００７】
複数のボタンを並び方向の一方の端から奇数番目のボタンと偶数番目のボタンとの２つのグループに分け、各グループを１体に成形して２つのボタン部材を形成することにより、各ボタン部品でのボタンの間隔が拡がり、成型が可能となる。なお、ボタンを強く押すと予定している量以上に変形する場合が生じ、ボタンが破損するおそれがある。そこで、一方のボタン部材のボタンの押し方向の移動量を所定の移動量に規制するストッパ部を他方のボタン部材に設け、ボタンの移動量が大きくならないようにした。
【発明の効果】
【０００８】
以上の説明から明らかなように、本発明は、相互に近接した状態で並ぶボタンを成形することができ、デザイン上の要請に応えることができる。また、ボタンの移動量を規制することによりボタンの破損を防止することができる。
【発明を実施するための最良の形態】
【０００９】
図１を参照して、１は浴室テレビであり浴室ＢＲの壁面Ｗに取り付けられている。図２に示すように、浴室テレビ１のケーシング１１には左右のカバー２と上カバー３、および下カバー４が着脱自在に取り付けられている。
【００１０】
ケーシング１１の前面には防水フィルムで覆われた各種の６個のスイッチ１２が設けられている。一方、下カバー４には６個のボタン５が設けられており、下カバー４をケーシング１１に取り付けた状態で各スイッチ１２に各ボタン５が各々対向するように構成されている。そして、下カバー４がケーシング１１に取り付けられた状態で各ボタン５を押し操作するとボタン５を介してスイッチ１２が押し操作される。なお、下カバー４は樹脂製のカバー基部４１とこのカバー基部４１に貼着された化粧用の金属板４２とで構成されており、ボタン５はカバー基部４１に取り付けられている。
【００１１】
これら６個のボタン５は、図３に示すように、２個のボタン部材５Ａ，５Ｂで構成されている。図２において向かって右側から奇数番目のボタン５はボタン部材５Ａとして一体に成形されており、偶数番目のボタン５はボタン部材５Ｂとして一体に形成されている。なお、両ボタン部材５Ａ，５Ｂには各々ストッパ部５１が設けられてている。また、ボタン５の後面には押し杆５ａが形成されており、この押し杆５ａが上記スイッチ１２を押すことになる。
【００１２】
両ボタン部材５Ａ，５Ｂは相互に組み合わされるように設計されており、両者を組み合わせると、図４に示すように、一方のボタン５の背部に他方のストッパ部５１が位置し、ボタン５を前方から強く押してもボタン５はストッパ部５１に当接してそれ以上押し込まれないように構成されている。
【００１３】
なお、本発明は上記した形態に限定されるものではなく、本発明の要旨を逸脱しない範囲内において種々の変更を加えてもかまわない。
【図面の簡単な説明】
【００１４】
【図１】本発明の一実施の形態の構成を示す図
【図２】浴室テレビの前面の形状を示す図
【図３】２個のスイッチ部材を示す図
【図４】両スイッチ部材を組み合わせた状態を示す図
【符号の説明】
【００１５】
１  浴室テレビ
４  下カバー
５  ボタン
５Ａ  ボタン部材
５Ｂ  ボタン部材
１１  ケーシング
１２  スイッチ
４１  カバー基部
４２  金属板
５１  ストッパ部
ＢＲ  浴室
Ｗ  壁面
【図１】
2008234967.tif 000003
【図２】
2008234967.tif 000004
【図３】
2008234967.tif 000005
【図４】
2008234967.tif 000006
(57)【要約】【課題】ロータリースイッチを回転させても表示用の文字や図形等の回転を防止することができるスイッチ装置を提供する。【解決手段】光透過性を有する前面部３ａが形成された中空状のスイッチノブ３と、スイッチノブ３の背面側に設置され、該スイッチノブ３に一端側が固定された回転軸６を有するロータリースイッチ５と、パネル板２のスイッチノブ３の背面側に位置する部分に、前面部３ａと対向するようにして表示用の所定形状に形成された孔７ａ，７ｂと、スイッチノブ３の背面側でかつパネル板２の背面側に、孔７ａ，７ｂの位置に合わせて設置したＬＥＤ８ａ，８ｂを備え、点灯させたＬＥＤ８ａ，８ｂの光を孔７ａ，７ｂの背面側から表面側に出射させ、表示用の所定形状に形成された孔７ａ，７ｂの形状をスイッチノブ３の前面部３ａに映し出させる。【選択図】図１
2008234950.tif 000002
【特許請求の範囲】
【請求項１】
前面側がパネル板の表面から突出するようにして回転自在に支持され、光透過性を有する前面部が形成された中空状のスイッチノブと、
前記スイッチノブの背面側に設置され、該スイッチノブに一端側が固定された回転軸を有するロータリースイッチと、
前記パネル板の前記スイッチノブの背面側に位置する部分に、前記前面部と対向するようにして表示用の所定形状に形成された孔と、
前記スイッチノブの背面側でかつ前記パネル板の背面側に、前記孔の位置に合わせて設置した光源と、を備え、
点灯させた前記光源の光を前記孔の背面側から表面側に出射させ、表示用の所定形状に形成された前記孔の形状を前記スイッチノブの前面部に映し出させる、
ことを特徴とするスイッチ装置。
【発明の詳細な説明】
【技術分野】
【０００１】
本発明は、例えば車両用空調装置などの操作部に設けられるスイッチ装置に関する。
【背景技術】
【０００２】
回転可能に設けたスイッチノブを操作者が押圧操作することで内部のプッシュスイッチを動作させ、更にこのスイッチノブを操作者が回転操作することで内部のロータリースイッチを動作させる構成のスイッチ装置は従来より知られている（例えば、特許文献１参照）。
【０００３】
また、前記特許文献１のようなスイッチ装置は、スイッチノブに形成した文字等を背面側から透過照明するＬＥＤが内部に配置されている。
【特許文献１】特開２００４−２８１２０３号公報
【発明の開示】
【発明が解決しようとする課題】
【０００４】
ところで、前記特許文献１のようなスイッチ装置は、回転軸を有していない中空状のロータリースイッチの中空部分に設けた基板上に、スイッチノブ表面の文字や図形等を透過照明するためのＬＥＤ（光源）を配置している。このため、前記特許文献１のようなスイッチ装置の構成では、ロータリースイッチを回転させると、スイッチノブ表面に形成されている文字や図形等もロータリースイッチの回転に合わせて回転する。
【０００５】
そこで、本発明は、ロータリースイッチを回転させても表示用の文字や図形等の回転を防止することができるスイッチ装置を提供することを目的とする。
【課題を解決するための手段】
【０００６】
前記目的を達成するために本発明に係るスイッチ装置は、前面側がパネル板の表面から突出するようにして回転自在に支持され、光透過性を有する前面部が形成された中空状のスイッチノブと、前記スイッチノブの背面側に設置され、該スイッチノブに一端側が固定された回転軸を有するロータリースイッチと、前記パネル板の前記スイッチノブの背面側に位置する部分に、前記前面部と対向するようにして表示用の所定形状に形成された孔と、前記スイッチノブの背面側でかつ前記パネル板の背面側に、前記孔の位置に合わせて設置した光源と、を備え、点灯させた前記光源の光を前記孔の背面側から表面側に出射させ、表示用の所定形状に形成された前記孔の形状を前記スイッチノブの前面部に映し出させることを特徴としている。
【発明の効果】
【０００７】
本発明の照明装置によれば、ロータリースイッチを回転させても表示用の文字や図形等の回転を防止することができる。
【発明を実施するための最良の形態】
【０００８】
以下、本発明を図示の実施形態に基づいて説明する。図１は、本発明の実施形態に係るスイッチ装置を示す概略断面である。なお、このスイッチ装置は、例えば車両用空調装置などの操作部に設けられている。
【０００９】
図１に示すように、本発明の実施形態に係るスイッチ装置１は、樹脂材からなるパネル板２に形成した円環状の凹部２ａに、前面側がパネル板２から突出するようにして樹脂材からなる中空状のスイッチノブ３が設けられている。スイッチノブ３の前面部３ａは、光透過性を有するように形成されている。
【００１０】
スイッチノブ３の前面部３ａの背面には、回路基板４上に設置したロータリースイッチ５の回転軸６の先端側が圧入・固定されている。また、パネル板２の円環状の凹部２ａとスイッチノブ３の円形状の縁部３ｂとの間には、所定の隙間が設けられている。これにより、スイッチノブ３はパネル板２の円環状の凹部２ａに回転自在に支持されている。
【００１１】
ロータリースイッチ５は、操作者がスイッチノブ３を回転操作することで回転軸６が回転することによって、スイッチノブ３の回転方向と回転量に応じたパルス信号を出力するように構成されている。更に、このスイッチ装置１は、操作者がスイッチノブ３を押圧することでスイッチングが行われるプッシュスイッチ（不図示）も備えている。
【００１２】
スイッチノブ３の前面部３ａの背面側に位置し、パネル板２の円環状の凹部２ａと連続するように形成されたベース板７には、前面部３ａと対向するようにして表示用の文字や図形等に対応した形状の孔７ａ，７ｂが形成されている。また、回路基板４上には、ベース板７の孔７ａ，７ｂの位置と対向するようにして、ＬＥＤ（発光ダイオード）８ａ，８ｂがそれぞれ配置されている。なお、回転軸６は、ベース板７に形成した軸孔に挿通されている。
【００１３】
本発明の実施形態に係るスイッチ装置１は上記の構成されており、ＬＥＤ８ａ，８ｂを発光させることによって、ＬＥＤ８ａ，８ｂから出射した光は、ベース板７の孔７ａ，７ｂの背面側から表面側に出射して、表示用の文字や図形等に対応した形状をスイッチノブ３の前面部３ａに映し出させる。これにより、スイッチノブ３の前面部３ａに、表示用の文字や図形等が表示される。
【００１４】
このように、本発明の実施形態に係るスイッチ装置１によれば、スイッチノブ３を操作してロータリースイッチ５を回転させても、孔７ａ，７ｂを形成したベース板７は回転しないので、スイッチノブ３の前面部３ａに映し出される表示用の文字や図形等は回転しなし。
【図面の簡単な説明】
【００１５】
【図１】本発明の実施形態に係るスイッチ装置を示す概略断面。
【符号の説明】
【００１６】
１        スイッチ装置
２        パネル板
３        スイッチノブ
３ａ      前面部
４        回路基板
５        ロータリースイッチ
６        回転軸
７        ベース板
７ａ，７ｂ      孔
８ａ，８ｂ      ＬＥＤ（光源）
【図１】
2008234950.tif 000003
(57)【要約】【課題】消去個所を狭く限定してコントロールでき、消去の磁場強度を容易に変えることが可能な消去ヘッドを提供する。【解決手段】永久磁石を含む消去ヘッドであって、前記永久磁石と、前記永久磁石の両極から出る磁力線を導くヨークと、から構成され、前記ヨークの先端にギャップ有することを特徴とする。【選択図】図１
2008234705.tif 000002
【特許請求の範囲】
【請求項１】
永久磁石を含む消去ヘッドであって、前記永久磁石と、前記永久磁石の両極から出る磁力線を導くヨークと、から構成され、前記ヨークの先端にギャップ有することを特徴とする消去ヘッド。
【請求項２】
前記永久磁石と前記ヨークとの距離を制御する制御機構を備えたことを特徴とする請求項１に記載の消去ヘッド。
【発明の詳細な説明】
【技術分野】
【０００１】
本発明は、磁気記録媒体の信号消去に用いられる消去ヘッドに関する。
【背景技術】
【０００２】
磁気記録媒体の信号消去には、交番磁場を徐々に弱くなるように作用させて信号を消去するＡＣ消去と飽和磁場を作用させて、飽和記録させて信号を消去するＤＣ消去とがある。
【０００３】
一般的な、テープレコーダやビデオテープレコーダには機構が簡便なＤＣ消去が多く用いられる。また、コンピュータテープのサーボ信号記録の際にもＤＣ消去が用いられる。ＤＣ消去に用いられる消去ヘッドとしては、直流（ＤＣ）電流をコイルに流して一定強度の磁場を発生させて消去するタイプと永久磁石を用いるタイプとがあるが、電流コストや冷却エネルギーが不要な後者が有利である。このような消去ヘッドの一例として特許文献１が挙げられる。
【０００４】
【特許文献１】特開昭６２−２４３１１０号公報
【発明の開示】
【発明が解決しようとする課題】
【０００５】
特許文献１では、円柱状の磁石コアと、この磁石コアの円周面が突出するようにインサート成形した合成樹脂製の保持体を備えた消去ヘッドが提案されている。しかし、このような消去ヘッドでは磁石コアにより生じる広い周囲磁場を利用するので、磁気テープの消去個所を精密に限定することはできず、また、磁石コアに磁気テープを当接させて消去するので、磁場強度を変えたいときには、磁束密度の異なる複数個との磁石を用意する必要があり、使用上の不便があった。
【０００６】
そこで、本発明では、消去個所を狭く限定してコントロールでき、消去の磁場強度を容易に変えることが可能な消去ヘッドを提供する。
【課題を解決するための手段】
【０００７】
本発明者らは、消去ヘッドについて鋭意検討した結果、消去ヘッドを下記の構成とすることにより、上記目的を達成することができ、本発明をなすに至った。
【０００８】
すなわち、永久磁石を含む消去ヘッドであって、前記永久磁石と、前記永久磁石の両極から出る磁力線を導くヨークと、から構成され、前記ヨークの先端にギャップ有することを特徴とする。
【０００９】
前記永久磁石と前記ヨークとの距離を制御する制御機構を備えたことを特徴とする特徴とする。
【発明の効果】
【００１０】
永久磁石の両極から出る磁力線をヨークで導き、ヨークの先端にギャップを設けているので、ギャップの部分に狭い範囲で強力な磁場を発生させることができ、消去個所を狭く限定することができる。また、永久磁石とヨークとの距離を制御する制御機構を備えているので、この距離を変えることによりギャップで発生する磁場強度を容易に変化させることができる。
【発明を実施するための最良の形態】
【００１１】
以下、図面に基づいて本発明を説明する。図１に本発明の一例の消去ヘッドの平面図を示す。本例の消去ヘッド６は、磁力線の発生源である永久磁石１と、永久磁石１の磁極から出る磁力線を導くヨーク２と、永久磁石１とヨーク２との距離を制御する機構であるスペーサ４と、ヨーク２の先端に形成されるギャップ３と、これらを収納する保持体５とからなる。
【００１２】
永久磁石１の磁場強度は３０００Ｏｅ以上が好ましく、５０００Ｏｅ以上がより好ましい。このような永久磁石１としては、ネオジム磁石が好適に用いられる。永久磁石１とヨーク２とで形成される磁気回路における磁力線の流れは以下の通りである。
【００１３】
一方の永久磁石１のＮ極から出た磁力線はヨーク２を通り、ヨーク２の先端のギャップ３に導かれる。ヨーク２の材質としては、比透磁率の大きな従来公知の材料（純鉄、センダスト、パーマロイなど）が用いられる。ヨーク２は先端に近づくほど絞られ、先端にギャップ３が形成され、この先端部の空間に強い磁場が形成される。磁気テープは、このギャップ３と当接しながら搬送され、ギャップ３の先端空間の強い磁場により磁性層が飽和磁化されることにより磁性層に記録された信号が消去される。ギャップ３の磁力線は他方の永久磁石１のＳ極側のヨーク２に戻り他方の永久磁石１のＳ極に収束する。他方の永久磁石１のＮ極から出た磁力線は、ギャップ３を形成するヨーク２と反対側のヨーク２を経て一方の永久磁石１のＳ極に収束する。
【００１４】
ギャップ３で発生する磁場の強さは、使用する永久磁石１の種類により異なるが、図４で示すように、ギャップ３の幅（ｗ）と厚さ（ｄ）によっても大きく異なる。一般に幅、厚さとも小さくするほど、強い磁場が発生する。ギャップ３の幅および厚さは、必要とする磁場強度に基づいて適宜選択すればよいが、加工のし易さ等を考えると、幅（ｗ）は、０．１〜２ｍｍが好ましく、厚さ（ｄ）は０．１〜５ｍｍが好ましい。例えば、ネオジム磁石を用い、ギャップ３の幅（ｗ）を０．５ｍｍ、ギャップ３の厚さ（ｄ）を５ｍｍとすると、ギャップ３に形成される磁場強度は最大４ｋＯｅ程度となり、厚さ（ｄ）を０．５ｍｍとすると、磁場強度は最大９ｋＯｅ程度となる。
【００１５】
さらに、ギャップ３で発生する磁場の強さは、永久磁石１とヨーク２との距離を制御するスペーサの厚さを変えることにより、容易に制御することができる。永久磁石１とヨーク２との距離を制御する方法については、スペーサを用いる方法以外にも、ネジを利用して制御するなど、従来公知の方法が用いられる。なお、また、磁場は狭いギャップで発生するので消去する個所を狭く限定することができる。
【００１６】
磁気回路中の永久磁石１の使い方としては、図１で示した永久磁石を２個使用する方法以外に、図２や図３で示したような、永久磁石１個で磁気回路を形成してもよい。
【図面の簡単な説明】
【００１７】
【図１】本発明の一例の消去ヘッドの平面図である。
【図２】本発明の別の一例の消去ヘッドの平面図である。
【図３】本発明のさらに別の一例の消去ヘッドの平面図である。
【図４】本発明の一例の消去ヘッドのギャップ部分の拡大平面図である。
【符号の説明】
【００１８】
１    永久磁石
２    ヨーク
３    ギャップ
４    スペーサ
５    保持体
６    消去ヘッド
【図１】
2008234705.tif 000003
【図２】
2008234705.tif 000004
【図３】
2008234705.tif 000005
【図４】
2008234705.tif 000006
(57)【要約】【課題】映像再生において任意の時間間隔だけ再生位置を移動させる素早く直感的な手段を提供する。【解決手段】映像再生装置に図１のようなスライダバーを持たせる。スライダバーのスライダ部内部３に、クリックした位置に応じた時間間隔の再生位置移動が行える機能を持たせる。スライダ溝部とは異なり、スライダ部内部３ではコンテンツの長さによらずクリック位置と移動時間の関係が固定であるよう設定されるため、直感的な再生位置移動の入力が可能である。またスライダ部内部３にクリックしても再生位置移動機能の起こらない領域も同時に設けることで、この部分を利用して従来のスライダバーで行っていたドラッグによる再生位置移動も可能とする。【選択図】図１
2008234758.tif 000002
【特許請求の範囲】
【請求項１】
音声または映像の再生を行なう情報処理装置において、音声または映像を再生する再生手段と、ディスプレイ上に、スライダとスライダ溝を表示させる表示制御手段と、前記スライダの内部の一方の領域をクリックすることで、クリック位置に対応した時間分だけ再生位置を移動させ、前記スライダの内部の他方の領域をドラッグすることで前記スライダを前記スライダ溝の左端から右端までの間の希望の再生位置に移動させ、該再生位置から音声または映像を再生するように前記再生手段を制御する再生制御手段とを備えることを特徴とする情報処理装置。
【発明の詳細な説明】
【技術分野】
【０００１】
本発明は、音声や映像の再生を行う情報処理装置に関するものである。
【背景技術】
【０００２】
音声や映像の再生を行う情報処理装置において、再生位置制御はユーザが頻繁に行う操作である。特にコンテンツを再生しながら自分の鑑賞したい部分を探すような場合、スムーズで直感的な再生位置制御ができることが重要となる。再生の開始や停止などの機能はボタンを、再生位置の制御はスライダバーを用いることが多い。スライダバーはスライダ溝とスライダから成り、スライダは再生位置の変化に伴ってスライダ溝を移動する。スライダをドラッグすることで、再生位置をその位置まで移動させることができる。（例えば、特許文献１参照）
しかしこれら従来の方法では任意の時間間隔だけ再生位置を移動させるのに不便である。
スライダバーはその溝の始点から終点までの長さは固定であるが、再生するコンテンツの長さは長いものから短いものまでさまざまである。結果スライダバー上の時間間隔はコンテンツの長さに応じて相対的に変化する。このため再生位置をある時間間隔だけ移動させようとする場合スライダをどの程度移動させたらよいか、ユーザには分かりにくくなる。また長いコンテンツの場合には相対的にスライダバーの分解能が落ち、細かい再生位置移動が不可能になることもある。ボタンで再生位置の移動を行う方法も考えられるが、さまざまな時間間隔の移動に対応して多くのボタンを配置すると大きなスペースを必要とする。（例えば、特許文献２参照）
【特許文献１】特許第３８５２４３５号公報
【特許文献２】特開２００５−２６７６７７号公報
【発明の開示】
【発明が解決しようとする課題】
【０００３】
任意の時間間隔だけ再生位置を移動させる素早く直感的な手段を提供することを目的とする。
【課題を解決するための手段】
【０００４】
本発明では、スライダバーのスライダ部内部に２種類の領域を持つ。一方は任意時間間隔の再生位置移動機能を持つクリック用領域であり、クリックした位置によって異なる時間間隔の再生位置移動を指示することができる。もう一方はスライダをドラッグすることのできるドラッグ用領域であり、スライダの移動先まで再生位置を移動させることができる。
【発明の効果】
【０００５】
本発明を用いれば、スライダ部のクリックした位置に応じた時間間隔の再生位置移動が行える。スライダ部内部の位置と時間間隔の対応はコンテンツの長さによらないため、意図した時間間隔分の再生位置移動を直感的に行うことができる。またスライダをドラッグ可能な領域を設けることで、従来のスライダバーにおけるドラッグによる再生位置移動も同時に可能になる。再生位置制御の機能がスライダバー上にまとめられるため、素早く各機能を使用することができる。
【発明を実施するための最良の形態】
【０００６】
図１および図２は、本発明を適用したスライダバーの実施の形態の構成例を示している
（実施の形態）
図１は、本発明装置の実施の形態の概略図である。図１全体がスライダバー、１はスライダ溝の始点、２はスライダ溝の終点、３はスライダである。スライダ３は再生位置の変化に対応して、始点１から終点２まで移動する。スライダ３を操作することで再生位置の制御を行うことができる。
【０００７】
図２は図１のスライダ３の拡大図である。４はスライダのドラッグ用領域であり、５はスライダのクリック用領域である。領域４以外の部分はすべて領域５である。領域４をつかんでドラッグすることで、スライダを移動させ再生位置を変更できる。領域５をクリックすることで、スライダと再生位置を任意時間分移動することができる。領域５のうち領域４より左の部分をクリックすると再生位置を逆時間方向に移動させることができ、領域４より右の部分をクリックすると順次間方向に移動させることができる。領域４に近い位置をクリックするほど移動時間間隔は小さく、領域４から離れた位置をクリックするほど移動時間間隔は大きくなる。
【産業上の利用可能性】
【０００８】
本発明は音声・映像の再生を行う情報処理装置に用いることができる。
【図面の簡単な説明】
【０００９】
【図１】本発明の実施の形態に於ける情報処理装置（スライダバー）を示した説明図
【図２】スライダ部を示した説明図
【符号の説明】
【００１０】
１    スライダ溝の始点
２    スライダ溝の終点
３    スライダ
４    ドラッグ用領域
５    クリック用領域
【図１】
2008234758.tif 000003
【図２】
2008234758.tif 000004
(57)【要約】      （修正有）【課題】  液体の中の浮遊物のランダムな動きによって信頼性の高い暗証番号を作成する。【解決手段】  このシステムは液体を含んだ容器、浮遊物、赤外線センサ（フォトインタラプタなども）、マイクロコンピュータ（ＰＩＣ）、暗証番号送受信用のトランスミッター（レシーバー）、暗証番号転送用インターフェースで構成する。原理は、システムを動かす事によって生じる浮遊物（液体の動きによって動く）を赤外線センサによって感知し、マイクロコンピュータにデータを送信し、より複雑にした数値を暗証番号としてマイクロコンピュータ内に保存する。そのデータを転送用インターフェースを経由して他のマイクロコンピュータを搭載したシステムにデータを転送する。この時点で二つのシステムに液体のランダムな動きによって作成された暗証番号が保存される。【選択図】図２
2008234613.tif 000002
【特許請求の範囲】
【請求項１】
液体の中の浮遊物のランダムな動きによって信頼性の高い暗証番号を作成する。
【請求項２】
このシステムの出力によって作動するシステム（ドアなどの施錠システムなど）全体。
【請求項３】
常に容易に暗証番号を作成、変更できる事。
【請求項４】
赤外線やフォトインタラプタを用いた暗証番号作成システム。
【請求項５】
前項で作成した暗証番号をより複雑にして保存するシステム。
【請求項６】
前項で作成した暗証番号を照合し、必要な出力をするシステム。
【請求項７】
ランダムな動きを暗証番号に変換するシステム。
【請求項８】
暗証番号を作成して監理するソフト全体
【請求項９】
暗証番号を転送するシステム全体（様々な転送方法を含む）
【請求項１０】
暗証番号比較の際に使用する可能性のあるＣＣＣＰに関するシステム全体
【請求項１１】
ダミー転送に関するシステム全体
【請求項１２】
システム全体を通常とは違う動作を行おうとするもの、及び暗証番号を解読しようとするもの全てから、システム全体を守るソフトと機器、機械とシステム
【発明の詳細な説明】
【技術分野】
【０００１】暗証番号によって管理される技術の全てに関する。
【背景技術】
【０００２】暗証番号には、人によって作成されるものと、機械などにより作成されるものがある。
【特許文献１】
【発明の開示】
【発明が解決しようとする課題】
【０００３】液体の中の浮遊物のランダムな動きによって信頼性の高い暗証番号を作成する。人が作り出した暗証番号には信頼性に限界がある。なぜなら暗証番号を作成、記録する事自体、暗証番号の漏洩を意味するからである。人が暗証番号を作成すれば、その人に関する情報が暗証番号に反映する。機械によって暗証番号を作成すれば、その構造（ソフト）によって制限が発生する。この様に人や機械の特性が反映した暗証番号は漏洩する可能性の存在は否定できない。これらの問題を全て解決する。
【課題を解決するための手段】
【０００４】このシステムは液体を含んだ容器、浮遊物、赤外線センサ（フォトインタラプタなども）、マイクロコンピュータ（ＰＩＣ）、暗証番号送受信用のトランスミッター（レシーバー）、暗証番号転送用インターフェースで構成する。原理は、システムを動かす事によって生じる浮遊物（液体の動きによって動く）を赤外線センサによって感知し、マイクロコンピュータにデータを送信し、より複雑にした数値を暗証番号としてマイクロコンピュータ内に保存する。そのデータを転送用インターフェースを経由して他のマイクロコンピュータを搭載したシステムにデータを転送する。この時点で二つのシステムに液体のランダムな動きによって作成された暗証番号が保存される。必要な時に送受信用トランスミッターを使用して暗証番号が一致した時のみ様々なシグナルを出力し必要な動作をする。このシステムによって信頼性の高い暗証番号を作成し頻繁に変更する事を可能にする。液体によって作成されたデータは様々なかたちで使用される。
【発明の効果】
【０００５】信頼性の高い暗証番号を常に作成して変更する事が可能になる。複雑な暗証番号を記憶する必要性がなくなる。安価で故障しにくい装置であり、製作が容易である。
持ち運びに便利なサイズである。
【発明を実施するための最良の形態】
【０００６】以下に暗証番号作成システムの実施例を説明する（次頁の図を参照）。文章内の番号は図中の番号に対応している。
【実施例】
【０００７】  赤外線センサ（１）でランダムな電圧を出力
Ａ／Ｄコンバータ（２）で暗号化
ＥＥＰＲＯＭ（３）（ＰＩＣ（マイクロコンピュータ）内のデータ保存領域：不揮発性）に保存
ＳＰＩ（ＰＩＣ間の転送システム）で転送する為にマスタ（２）、スレーブ（４）を接続（３）
ＳＰＩでスレーブのＥＥＰＲＯＭへ暗証番号を転送
スレーブのＥＥＰＲＯＭで暗証番号を保存
ダミーをマスタへ転送
マスタとスレーブを切り離す。
マスタとスレーブを接続
スレーブの暗証番号をマスタのワーキングレジストリ（２）に転送
ＥＥＰＲＯＭの暗証番号をデータメモリ（２）へ転送
マスタのデータメモリの暗証番号とスレーブより転送されたマスタのワーキングレジストリにある暗証番号を比較
暗証番号が一致した場合はマスタからスレーブに信号を送りスレーブで必要な出力をする（５）。
マスタとスレーブを切り離す。
２回目以降は、以上の流れをループしてそれぞれのＥＥＰＲＯＭの暗証番号を上書きする。
【産業上の利用可能性】
【０００８】  信頼性の高い暗証番号を常に作成して変更する事が可能になる。複雑な暗証番号を記憶する必要性がなくなる。安価で故障しにくい装置であり、製作が容易である。持ち運びに便利なサイズである。暗証番号によって管理される全てのシステム、ソフト、機器、機械に応用可能である。
【図面の簡単な説明】
【０００９】
【図１】  暗証番号作成のフローチャートである。
【図２】  暗証番号作成の概念を示した図である。
【符号の説明】
【００１０】  １  赤外線センサ
２  Ａ／Ｄ  コンバータ
３  ＥＥＰＲＯＭ
４  スレーブ
５  スレーブによる必要な出力
【図１】
2008234613.tif 000003
【図２】
2008234613.tif 000004
(57)【要約】【課題】  近年、古紙リサイクル率は頭打ちであった。又、少子高齢化により子供会などが廃品回収を取りやめる所もあった。【解決手段】  宅配業者が宅配先の各家庭、会社等に宅配荷物を運び、サービスの一環として、古紙を引取りし、古紙問屋に持って行き、対価を受け取ります。これによりゴミとして出されていた各家庭の古紙リサイクルを促進し、高齢者の家庭にもやさしいリサイクル方法となる。【選択図】図１
2008234611.tif 000002
【特許請求の範囲】
【請求項１】
宅配便と古紙リサイクルとの互いの長所を取り入れた新しい回収システム
【請求項２】
高齢者等ひとり住まいの方にも親切な古紙回収システム
【発明の詳細な説明】
【技術分野】
【０００１】本発明は、古紙回収を促進し、循環型社会をより活性化させるものであり、環境保護を促進するものである。
【背景技術】
【０００２】これまでは古紙回収は各団体による廃品回収、及び行政などによるゴミステーションでの回収等であった。
【発明が解決しようとする議題】
【０００３】しかし近年、回収率は頭打ち状態であり、これ以上の回収率の上昇は困難な状況である。
【０００４】しかも昨今、少子高齢化により古紙回収を取りやめる団体も出始めている。
本来再生されるべき各家庭の古紙が、高齢化社会及び高層住宅化社会により、適切にリサイクルされていない現状がある。
【０００５】本発明はこの現状を打開する目的を持つまったく新しい回収方法である。
【議題を解決するための手段】
【０００６】まず宅配業者は従来通り、荷物を各家庭に届ける。その際に家庭から出る古紙を荷物と引換えに車に積み込む。そして積んだ古紙を契約問屋で荷卸しし対価を得る。
【発明の効果】
【０００７】上述したように、この宅配荷物と引換えに古紙を引取る方法により、ゴミとして出されていた古紙のリサイクルを促進できる。又、高齢者の家庭には効果が大きいと思われる。
又、宅配物と引き換えに古紙を引取る行為は、あくまでも宅配のついでであり、そこに使用されるガソリン等のエネルギーは必要不可欠のものであり、そのエネルギーを同時に利用する為、ガソリン等エネルギー資源の削減及び排ガスなどの抑制にもなり、環境保護にもつながる。
【発明を実施するための最良の形態】
【０００８】以下、本発明の実施形態を図１に基づいて説明する。【０００９】宅配業者Ａが宅配先Ｂに荷物を持って行きます。
宅配先Ｂで出た古紙を引取ります。
引取りした古紙を古紙問屋Ｃに持って行き対価を受け取ります。
これにより今までゴミとして処分されていた古紙リサイクル率の向上を図り、高齢者の家庭にもやさしいと言えるリサイクル方法のフローチャート図を確立できる。
【図面の簡単な説明】
【００１０】
【図１】  本説明の古紙リサイクル方法
【図１】
2008234611.tif 000003
(57)【要約】      （修正有）【課題】杯一杯程度の小容量の容器に入れた日本酒を商品とした、ビジネスモデルを提供する。【解決手段】杯一杯程度の量が入る小さな容器に日本酒を入れ、密封し、銘柄を識別できる記号や説明を記載したものを流通させる。顧客は、呑みたい日本酒の注文前に、小さなカップに入ったサンプルの試し呑みをして、希望のものであるかどうか確認の後、注文する。【選択図】なし【特許請求の範囲】
【請求項１】
多くとも杯一杯程度の少容量の容器に日本酒が入っていることを第１の特徴とし、
上記容器が密閉され、｛容器または密閉用の蓋またはシール｝に特定の日本酒のその銘柄を識別できる情報が記載されていることを第２の特徴とし、
日本酒が入っている｛上記の密閉された小容量の容器｝の｛蓋またはシール｝が、それを開けることにより、中身の日本酒を｛そのまま呑むことができる構造｝になっていることを第３の特徴とし、
｛元々販売している特定の日本酒｝を｛販売用日本酒｝と称し
｛小容量容器に入った特定の日本酒｝を｛試し呑み用日本酒｝と称し、
｛販売用日本酒｝と｛｛同じ仕込みで作られた日本酒｝が入った｛試し呑み用日本酒｝｝を、｛｛日本酒を販売する店｝の顧客｝が｛販売用日本酒｝を注文する前に、｛その味や完成度｝を｛顧客が確認する目的｝で｛日本酒を販売する店が在庫しておく行為｝を第４の特徴とし、
日本酒を販売する店の顧客が、｛日本酒のメニュー｝のなかから、注文の候補に上がった｛販売用日本酒｝に対応する｛試し呑み用日本酒｝を注文することができるところの｛｛売買またはサービス｝の仕組みが整っている｝ことを第５の特徴とし、
日本酒を顧客に販売する店が｛｛日本酒の製造メーカ｝または｛日本酒の流通業者｝｝に｛試し呑み用日本酒｝を｛発注できる仕組みが整っている｝ことを第６の特徴とし、
｛日本酒の製造メーカ｝が｛販売用日本酒｝に対応する｛試し呑み用日本酒｝を｛供給する仕組みが整っている｝ことを第７の特徴とし、
上記、第１、第２、第３、第４、第５、第６、第７、の特徴からなる｛供給システムと流通システム｝において｛｛試し呑み用日本酒｝の｛価値に対応する対価｝もしくは｛付加価値に対する対価｝｝が決定され、｛その価値｝が売買されることを第８の特徴としたビジネスモデル。
【請求項２】
｛請求項１の第１と第３｝の特徴を有する｛試し呑み用日本酒｝。
【発明の詳細な説明】
【用語の定義】
【０００１】  特許請求範囲を含む全文を通じ、以下の用語を定義する。
【００２】｛｝の印の中の文章や単語は｛｝の外の文章に優先してひとまとまりとなる。
｛｝は説明をわかりやすく表現する目的で用いている。
【技術分野】
【０００３】本願発明は公知の技術を組み合わせ、高々杯一杯程度の小容量の容器に入れた日本酒を商品として、新たなビジネスモデルを具現化するためのもので、特別に新たな製造技術を必要とするものではない。
【背景技術】
【０００４】小容量プラスティックカップ、シーリング技術、充填技術、温度管理技術
【課題を解決するための手段】
【０００５】多くとも杯一杯程度の日本酒が入る少容量容器を作る。
上記｛｛容器｝または、容器を密閉する｛蓋またはシール｝｝に特定の日本酒の｛その銘柄を識別できる情報｝を記載する。
｛蓋またはシール｝が、それを開けることにより、中身の日本酒を呑むことができる構造とする。
｛販売用日本酒｝と｛同じ行程で作られた日本酒｝が入った｛試し呑み用日本酒｝を、｛日本酒を販売する店の顧客｝が｛販売用日本酒｝を注文する前に、｛その味や完成度｝を｛顧客が確認する目的｝で｛日本酒を販売する店｝が在庫しておく。
日本酒を販売する店の顧客が｛試し呑みの日本酒｝を｛注文できる仕組み｝を整える。
日本酒を販売する店が｛試し呑みの日本酒｝を発注できる仕組みを整える。
日本酒の製造メーカが｛試し呑みの日本酒｝を供給する仕組みを整える。
｛試し呑みの日本酒｝が売買され対価の流通が伴う仕組みを整える。
【発明の効果】
【０００６】日本酒を発注する時、お店の品書きに記載されている｛複数の在庫している日本酒｝の｛それぞれについての評価｝をお店に質問しても正確な回答を得られない場合が少なくない。また、知らない銘柄の酒を試すとき、店の説明とは｛ほど遠い味｝である場合が少なくない。
【０００７】味を言葉の表現で伝えることは難しい課題でもある。味を確かめる唯一の方法は呑んでみるしかない。一般的に、人の官能に頼る評価というのは、言葉の表現だけでは正確に伝わらないものである。また、人の官能による評価は、経験の度合いや感性の敏感さによって感じ方や表現方法は大きく違ってくる。
【０００８】本願発明はこの極めて単純であるが｛呑まないことにはわからない｝という課題を解決する｛極めて単純で明快な手法｝である。知らない日本酒を注文するリスクは、通常｛数百円から高々千円くらい｝のものであるが、それでも意にそぐわない味の日本酒を口にするのは不愉快なものである。
【０００９】本願発明はこのような日常の小さな課題を解決するばかりでなく、飲食を楽しむという観点から、その効果は小さくない。その時と場合に応じて｛呑んでみたい味の日本酒｝を｛僅かな出費｝から｛実際確かめた上で注文できる｝ということは、極めて合理的である。さらに、必要以上に多量の日本酒を呑むことなく、｛多数の銘柄の日本酒｝の味を知ることができる。そして、味の評価を｛世評のネームバリュー｝に頼るのではなく、消費者が｛実際に比較評価できる｝ことによって｛本質的に、より良い品質の商品｝の流通を促進させる大きな原動力ともなる。
【００１０】また、ともすれば、｛商品の本質である品質の追求｝をなおざりにして｛見栄えや言葉による説明｝によって｛商品の販売促進｝を図ろうとするような安易な商行為を抑制する効果を期待できる。本願発明は、消費者にとって極めて合理的な手法である。
【発明を実施するための最良の形態】
【００１１】多くとも｛杯一杯程度の日本酒｝を｛小容量プラスティックカップ｝に充填し流通させる。
日本酒を販売する店では、｛有料もしくは無料｝で｛試し呑み用日本酒｝を試し呑みができる旨の案内をする。
【実施例】
【００１２】例えば、コーヒーのクリームや糖蜜が入っている容器に類似したものに日本酒を充填する。市販されている上記の商品は容器が柔らかいのでシールを剥がすときに中身のクリームや糖蜜が飛び出ることがあって不都合なことが多いが、これは設計上の決定事項であり、強度や構造を変更することで、解決できる。量については、試し呑みに適した量であることから、適正量というものは限られた範囲にとどまる。｛試し呑み用日本酒｝を流通させることで、告知については｛お店ではお店なりの販売促進方法｝、｛供給側は供給側なりの販売促進方法｝が工夫される。｛試し呑み用日本酒｝の潜在ニーズの存在は歴然としていることから、需要は告知によって自然に広まる。流通価格については｛試し呑み日本酒のコスト｝や｛需要の量｝や｛商品の競合の状態｝などの条件によって自ずと決定される。
【産業上の利用可能性】
【００１３】｛試し呑み用日本酒｝の製造プラント
｛試し呑み用日本酒｝の在庫トレーの供給
複数の｛試し呑み用日本酒｝の自動出庫装置
｛試し呑み用日本酒｝の自動販売機
(57)【要約】【課題】  制御ユニットの低温時の良好な起動特性が得られる電子機器を提供する。【解決手段】  ヒートシンク２の温度Ｔが温度センサ５で検知され、その検知温度Ｔが０℃以下の場合、スイッチ６がオンする。このオンにより、抵抗素子４への通電路が形成され、抵抗素子４が発熱動作する。この発熱によってヒートシンク２および制御ユニット１の温度が上昇し、制御ユニット１の良好な起動が可能となる。【選択図】      図１
2008234591.tif 000002
【特許請求の範囲】
【請求項１】
制御ユニットと、
前記制御ユニットに設けられたヒートシンクと、
前記ヒートシンクに設けられ、通電により発熱する発熱手段と、
前記ヒートシンクの温度を検知する温度検知手段と、
前記温度検知手段の検知温度が設定値以下の場合にオンして前記発熱手段への通電路を形成するスイッチと、
を備えていることを特徴とする電子機器。
【発明の詳細な説明】
【技術分野】
【０００１】
この発明は、制御ユニットにヒートシンクを取付けた電子機器に関する。
【背景技術】
【０００２】
パーソナルコンピュータ等の電子機器に搭載されるＩＣやＬＳＩなどの制御ユニットは、処理能力の向上および高速化に伴い、発熱量が増加する傾向にある。
【０００３】
この発熱量の増加に対する処置として、制御ユニットにヒートシンクが取付けられ、そのヒートシンクが冷却ファンによって冷却される（例えば特許文献１）。
【特許文献１】特開２００１―２８４８６５号公報
【発明の開示】
【発明が解決しようとする課題】
【０００４】
制御ユニットの安定動作のためには、上記したヒートシンクの採用による放熱対策のほかに、低温時の起動特性について十分に考慮する必要がある。
【０００５】
とくに、最近、標準化された市販のＩＣやＬＳＩが制御ユニットとして多く用いられており、その採用によって製品開発期間の短縮が図られているが、半面、低温時の起動特性が不良という問題がある。  
例えば、起動の温度保証範囲は０℃程度であり、それより低い温度になると制御ユニットの起動が不良となる。
この発明は、上記の事情を考慮したもので、その目的は、制御ユニットの低温時の良好な起動特性が得られる電子機器を提供することにある。
【課題を解決するための手段】
【０００６】
請求項１に係る発明の電子機器は、制御ユニットと、この制御ユニットに設けられたヒートシンクと、このヒートシンクに設けられ、通電により発熱する発熱手段と、上記ヒートシンクの温度を検知する温度検知手段と、この温度検知手段の検知温度が設定値以下の場合にオンして上記発熱手段への通電路を形成するスイッチと、を備えている。
【発明の効果】
【０００７】
この発明の電子機器によれば、制御ユニットの低温時の良好な起動特性が得られる電子機器を提供できる。
【発明を実施するための最良の形態】
【０００８】
以下、この発明の一実施形態について図面を参照して説明する。  
図１に示すように、電子機器の筐体２０にマザーボード１０が収容され、そのマザーボード１０にＩＣやＬＳＩなどの制御ユニット１が搭載されている。そして、制御ユニット１の上面にヒートシンク２が取付けられている。ヒートシンク２は、制御ユニット１の上面と接する側に、互いに間隔を空けて配列された多数枚の放熱フィン２ａを有する。
【０００９】
また、ヒートシンク２の上面に、熱伝導性の良好な部材で形成された加熱ボード３が取付けられている。加熱ボード３は、図２に示すように、通電により発熱する抵抗素子（発熱手段）４、ヒートシンク２の温度Ｔを検知する温度センサ（温度検知手段）５、この温度センサ５の検知温度Ｔが設定値たとえば０℃以下の場合にオンして上記抵抗素子４への通電路を形成するスイッチ６を有している。
一方、筐体２０の側面部２０ａに空気を取込むための通気口２１が形成され、別の側面部２０ｂに排気口２２が形成されている。そして、排気口２２の内側に、埃を取るためのフィルタ２３、およびヒートシンク冷却用の冷却ファン２４が設けられている。
【００１０】
冷却ファン２４が動作すると、筐体２０の外の空気が通気口２１を通って筐体２０内に吸込まれ、その吸込まれた空気がヒートシンク２の各放熱フィン２ａの相互間に送り込まれる。送り込まれた空気は各放熱フィン２ａから熱を奪って冷却ファン２４側に流れ、それがフィルタ２３および排気口２２を通って筐体２０の外に排出される。こうして、ヒートシンク２および制御ユニット１が冷却される。
【００１１】
作用を説明する。  
電源投入時、ヒートシンク２の温度Ｔが温度センサ５で検知される。冬季など、温度センサ５の検知温度Ｔが０℃以下であれば、スイッチ６がオンする。
スイッチ６がオンすると、直流電圧２４Ｖが抵抗素子４に印加される。この通電により、抵抗素子４が発熱動作し、その発熱によりヒートシンク２および制御ユニット１が温まって温度上昇する。
こうして、ヒートシンク２および制御ユニット１が温まることにより、制御ユニット１の良好な起動が可能となる。
【００１２】
温度センサ５の検知温度Ｔが０℃よりも所定値高い温度まで上昇すると、スイッチ６がオフする。このオフにより、抵抗素子４に対する通電が遮断される。
なお、この発明は上記各実施形態に限定されるものではなく、要旨を変えない範囲で種々変形実施可能である。
【図面の簡単な説明】
【００１３】
【図１】一実施形態の要部の構成を示す斜視図。
【図２】一実施形態における加熱ボードの構成を示す図。
【符号の説明】
【００１４】
１…制御ユニット、２…ヒートシンク、３…加熱ボード、４…抵抗素子（発熱手段）、５…温度センサ（温度検知手段）、６…スイッチ
【図１】
2008234591.tif 000003
【図２】
2008234591.tif 000004
(57)【要約】【課題】本発明はテレビ、パソコン画面、モニター、車窓又はガラス窓等に貼る、吸着させる、被せる、もしくは内部に挿入して使用する、フィルター、シール、カバー、フィルム、シート、液晶パネルまたはシールドである。近視、遠視、または乱視等の視力矯正ができる度つきのフィルター、シール、カバー、フィルム、シート、液晶パネルまたはシールドを提供する。【解決手段】テレビ、パソコン画面、モニター、車窓又はガラス窓等に、度つきのフィルター、シール、カバー、フィルム、シート、液晶パネルまたはシールドを貼る、被せる、自己吸着させる、吸着させる、もしくは内部に挿入して使用する。フィルター、シール、カバー、フィルム、シート、液晶パネルまたはシールドの大きさ、矯正度数、および色は複数種類設け、使用者の希望または裸眼視力、および使用する対象物に合わせるようにする。【選択図】図１
2008165099.tif 000002
【特許請求の範囲】
【請求項１】
テレビ、パソコン画面、モニター、車窓、又はガラスに貼る、被せる、吸着させる、又は内部に挿入して使用する、度つきのフィルター、シール、カバー、フィルム、シート、液晶パネル又はシールド。
【発明の詳細な説明】
【技術分野】
【０００１】  本発明はテレビ画面、パソコン画面、モニター画面および携帯電話等の画面、車窓、窓ガラス、ガラス戸等に貼る、被せる、吸着させる、または内部に挿入するためのフィルター、シール、カバー、フィルム、シート、液晶パネルまたはシールドであって、近視、遠視、または乱視等の視力矯正ができる度つきフィルターシールに関するものである。
【背景技術】
【０００２】  従来、テレビ、パソコン、モニター、携帯電話等の画面に貼る、被せる、吸着させるフィルターの目的は、のぞき見防止、反射防止、眼精疲労軽減、液晶保護、画面保護、電磁波防止等であった。
またシールを自分のメガネのレンズに貼付するサングラスシール（特許文献１参照）、反射防止・電磁波防止等に用いるフィルム（特許文献２参照）、電磁波防止シート及びスキミング防止シート（特許文献３参照）、ビデオモニター用フィルター（特許文献４参照）があることは知られている。
【特許文献１】特許公開２００３−０８４２４５
【特許文献２】特許公開２００６−０８８６８１
【特許文献３】登録実用新案第３１２１１１３号
【特許文献４】特許公開２００３−１２５３１６
【発明の開示】
【発明が解決しようとする課題】
【０００３】  近視、遠視、または乱視等のため視力矯正が必要な人は、テレビ、パソコン、モニターおよび携帯電話等の画面を見る時、また車窓や窓ガラスをとおして物を見る時、ガラス戸棚の中を見る時等は、メガネやコンタクトレンズ等を用いて視力矯正をする必要があった。
本発明は、上記の問題を解決し、度つきのフィルター、シール、カバー、フィルム、シート、液晶パネルまたはシールドを通して対象物を見ることによって、メガネやコンタクトレンズ等を着用することなく、矯正後の視力で、テレビ、パソコン、モニターおよび携帯電話等の画面を見たり、車窓や窓ガラスをとおして物を見たり、ガラス戸棚の中を見る事ができるようになされたものである。
【課題を解決するための手段】
【０００４】  テレビ、パソコン画面、モニター、車窓、又はガラス窓等に、度つきのフィルター、シール、カバー、フィルム、シート、液晶パネルまたはシールドを貼る、被せる、自己吸着させる、吸着させる、もしくは内部に挿入して使用する。
フィルター、シール、カバー、フィルム、シート、液晶パネルまたはシールドの大きさ、矯正度数、および色は複数種類設け、使用者の希望または裸眼視力、および使用する対象物に合わせるようにする。
【発明の効果】
【０００５】  本発明を使用することで、メガネやコンタクトレンズ等を着用しなくとも矯正後の視力で、テレビ、パソコン、モニターおよび携帯電話等の画面を見たり、車窓や窓ガラスをとおして物を見たり、ガラス戸棚の中を見ることができる。
【発明を実施するための最良の形態】
【０００６】  本発明はプラスチック、ゴム、シリコンまたは液晶などの原料からなる、度つきのフィルター、シール、カバー、フィルム、シート、液晶パネルまたはシールド（１）であるので、使用するときは、テレビ（２）、パソコン画面（２）、モニター（２）、車窓（３）、又はガラス等に、貼る（［図１］、［図２］）、被せる（［図３］）、自己吸着させる（［図１］、［図２］）、吸着させる（［図１］、［図２］）、もしくは内部に挿入して（［図４］）使用する。
フィルター、シール、カバー、フィルム、シート、液晶パネルまたはシールドの大きさ、矯正度数、および色は複数種類設け、使用者の希望または裸眼視力、および使用する対象物に合わせられる。また大きさに合わせて切ることもできる。
【図面の簡単な説明】
【０００７】
【図１】本発明をテレビ画面等に貼るまたは吸着させて使用する図
【図２】本発明を車窓に貼る、吸着させるまたは内部に挿入して使用する図
【図３】本発明をパソコン画面等に被せて使用する図
【図４】本発明をテレビ画面等の内部に挿入して使用する図
【符号の説明】
【０００８】（１）フィルター、シール、カバー、フィルム、シート、液晶パネルまたはシールド、（２）テレビ、パソコン画面、モニター等、（３）車窓、（４）前キャビネットもしくはモニター前面フィルム、（５）モニター本体及び後キャビネット
【図１】
2008165099.tif 000003
【図２】
2008165099.tif 000004
【図３】
2008165099.tif 000005
【図４】
2008165099.tif 000006